【事件の表示】
　特願２００９−５４４８９０「複数のカメラを使用する鏡面反射の低減」拒絶査定不服審判事件〔平成２０年　７月１７日国際公開、ＷＯ２００８／０８５７２４、平成２２年　５月１３日国内公表、特表２０１０−５１５９７１〕について、次のとおり審決する。
【結　論】
　本件審判の請求は、成り立たない。
【理　由】
１．手続の経緯
　本願は、２００７年１２月２３日（パリ条約による優先権主張外国庁受理２００７年１月５日、米国）を国際出願日とする出願であって、平成２２年１０月２７日付けで拒絶理由が通知され、平成２３年１月１３日に手続補正書が提出されたが、同年４月８日付けで拒絶査定がなされたのに対し、同年７月５日に審判の請求がされたものである。
　
２．本願発明
　本願発明は、平成２３年１月１３日付け手続補正書により補正された明細書及び図面の記載からみて、その請求項１５に記載された以下のとおりのものと認める。
　
〈本願発明〉
　１つまたは複数のディスプレイ層と、
　所定の位置に位置決めされている
照明装置
第１のカメラ
　前記照明装置が前記所定の位置から点灯されているときに、前記第２のカメラが、前記第１のカメラの前記鏡面反射領域の少なくとも一部分を、前記鏡面反射がキャプチャされずに、見て、かつ、キャプチャすることができる第２の位置で、前記１つまたは複数のディスプレイ層の照明された表面を見るように位置決めされた第２のカメラと、
　を備えた対話型ディスプレイと一緒に使用するための画像マージ機構であって、　
　前記第１のカメラでキャプチャされた前記鏡面反射のレベルと比較して、鏡面反射が少なくとも低減されるように、前記第１および第２のカメラからの画像を重ね合わせる行為を実行するように構成されている、画像マージ機構。
　
　なお、補正された明細書においては、下線部は、「
前記照明装置
前記第１のカメラ
　
３．引用発明および周知技術
　（１）これに対して、原査定の拒絶の理由で引用した、国際公開第２００５／５７３９９号（平成１７年６月２３日国際公開。以下、「引用例１」という。）には図面とともに以下の事項が記載されている。（なお、拒絶理由で提示した引用文献につき誤記が存在したが、その後、請求人と審査官との応対により、請求人は正しい引用文献を認知し、拒絶理由の趣旨及び引用文献の内容を理解した上で意見を述べ、また、明細書の補正をしている。）
　
　ここで、以下には最初に原文を、次いで、その翻訳文を記載する。
　翻訳文は、引用例１の国際出願を我が国を指定国として提出した出願を公開した特表２００７−５１４２４２号公報（平成１９年５月３１日公表。）の記載を参考とした。
　
　ａ．「INTERACTIVE VIDEO PROJECTION SYSTEM
[0056] The present invention in the form of one or more exemplary embodiments will now be described. According to one exemplary embodiment, an interactive video system 100 as shown in Figure 1 is provided. The interactive video system 100 uses an camera 115 fitted with a filter that blocks visible light, an illuminator 125 that illuminates screen 130 being viewed by camera 115, a projector 120 that projects an image onto the interactive space of screen 130, and a computer 110 that takes as input the image of camera' 115 and outputs a video image to projector 120. In one embodiment, illuminator 125 is an infrared illuminator and camera 115 is an infrared camera operable to record images illuminated by the infrared light of illuminator 125. It should be appreciated that camera 115 and illuminator 125 can be configured to operate using any form of light that is not visible, and is not limited to infrared light.
[0057] Computer 110 processes the camera 115 input to discern on a pixel-by- pixel basis what portions of the volume in front of screen 130 are occupied by people (or moving objects) and what portions of screen 130 are background. Computer 110 accomplishes this by developing several evolving models of what the background is supposed to look like, and then comparing its concepts of the background to what camera 115 is currently seeing. Alternatively, components of computer 110 that process camera 115 input are collectively known as the vision system.」（１７頁７行〜１８頁４行の記載。）
　（翻訳文）
　インタラクティブ・ビデオ・プロジェクション・システム
　次に、本発明を、１つ以上の例示的な実施形態のかたちで説明する。１つの例示的な実施形態によれば、図１に示すようなインタラクティブ・ビデオ・システム１００が提供される。
インタラクティブ・ビデオ・システム１００は、可視光を遮断するフィルタを備えるカメラ１１５と、カメラ１１５から見えるスクリーン１３０を照らすイルミネータ１２５と、イメージをスクリーン１３０のインタラクティブスペース上に投影するプロジェクタ１２０と、カメラ１１５のイメージを入力として受取り、ビデオイメージをプロジェクタ１２０へ出力するコンピュータ１１０とを使用する
イルミネータ１２５は、赤外線イルミネータであり、カメラ１１５は、イルミネータ１２５の赤外光によって照らされたイメージを記録するように機能する赤外線カメラである。
　
コンピュータ１１０は、カメラ１１５の入力を処理して、ピクセルごとの基準で、スクリーン１３０の前の空間のどの部分が人（または動く物体）で占められているか、及びスクリーン１３０のどの部分が背景であるかを識別する
　
　ｂ．「REDUCING GLARE ON THE CAMERA
[0066] There may be reflected glare from illuminator 125 onto camera 115. This glare can interfere with camera 115's ability to see beyond screen 130. In one embodiment, a near-infrared antireflective coating is placed on the bottom and/or top of screen 130 to mitigate this interference and improve the performance of camera 115. In addition, illuminators 125 can be placed at an oblique angle relative to screen 130, preventing any specular reflection from taking place. 
[0067] Furthermore, in another embodiment, infrared linear polarizing filters are added to the front of illuminator 125 and camera 115 (with the orientation of the polarization of illuminator 125 perpendicular to the polarization of camera 115) to further reduce glare. This glare happens because light that reflects directly off the bottom of screen 130 will still be polarized, while light that hits an object outside screen 130 loses its polarization.」（２１頁１７行〜２２頁６行））
　（翻訳文）
　カメラ上のグレアを低減すること
　
イルミネータ１２５からカメラ１１５上には、反射グレアがある可能性がある。このグレアは、スクリーン１３０越しに見るカメラ１１５の能力に干渉する可能性がある
この干渉を緩和し、かつカメラ１１５の性能を改善するために、近赤外線反射防止膜が、スクリーン１３０の底部および／または上部に設けられる。また、イルミネータ１２５をスクリーン１３０に対して斜角に配設して、鏡面反射が起きることを防ぐことができる
　さらに、別の実施形態においては、グレアをさらに軽減するために、赤外線直線偏光フィルタが、イルミネータ１２５及びカメラ１１５の前に（カメラ１１５の偏光と直角なイルミネータ１２５の偏光の方向で）付加される。このグレアは、スクリーン１３０の底部で直接反射する光が、まだ偏光しており、一方、スクリーン１３０の外部で対象に当たる光が、その偏光を失うために起きる。
　
　してみると、引用例１に記載された発明（以下、「引用発明」という。）は、以下のとおりのものである。
　
　〈引用発明〉
　インタラクティブ・ビデオ・システム１００において、
　可視光を遮断するフィルタを備えるカメラ１１５と、カメラ１１５から見えるスクリーン１３０を照らすイルミネータ１２５と、イメージをスクリーン１３０のインタラクティブスペース上に投影するプロジェクタ１２０と、カメラ１１５のイメージを入力として受取り、ビデオイメージをプロジェクタ１２０へ出力するコンピュータ１１０とを備え、
　イルミネータ１２５は、赤外線イルミネータであり、カメラ１１５は、イルミネータ１２５の赤外光によって照らされたイメージを記録するように機能する赤外線カメラであり、
　コンピュータ１１０は、カメラ１１５の入力を処理して、ピクセルごとの基準で、スクリーン１３０の前の空間のどの部分が人（または動く物体）で占められているか、及びスクリーン１３０のどの部分が背景であるかを識別するもので、
　イルミネータ１２５からカメラ１１５上には、反射グレアがある可能性があり、このグレアは、スクリーン１３０越しに見るカメラ１１５の能力に干渉する可能性があるため、この干渉を緩和し、かつカメラ１１５の性能を改善するために、近赤外線反射防止膜が、スクリーン１３０の底部および／または上部に設けられ、また、イルミネータ１２５をスクリーン１３０に対して斜角に配設して、鏡面反射が起きることを防ぐ、
　インタラクティブ・ビデオ・システム
　
　（２）原査定の拒絶の理由で引用された特開２００３−１４１５２４号公報（平成１５年５月１６日出願公開。以下、「引用例２」という。）には図面とともに以下の事項が記載されている。
　
　ｃ．「【００２６】
【実施形態１】図１は、本発明による非接触画像読み取りシステムの構成を示す機能ブロック図である。本実施形態１の画像読み取りシステムは、画像読み取り手段としての
画像入力カメラ１０，１１と、原稿台１２，１３と、制御手段２０とからなる。本画像読み取りシステムは、画像入力カメラ１０，１１により原稿台１２，１３上の原稿を読み込み、制御手段２０で画像処理し、その処理結果をディスプレイ，プリンタなどの出力装置２７に送る
【００２７】画像入力カメラ１０，１１は、原稿台１２，１３に上を向けて置かれた原稿を非接触で読み取る装置である。
【００２８】画像入力カメラ１０，１１は、本来は、それぞれ独立して、原稿台１２，１３上の原稿を読み取る装置であるが、ここでは境界部分を重複して読み取れるように、
撮影範囲の少なくとも一部を重ねて設置
　
　ｄ．「【００４１】
【実施形態３】図８は、
読み取り対象物に鏡面反射が生じた場合に本来の平面画像を修復する方式
面修復後の画像を接続する際に、鏡面反射部分を検出したら、鏡面反射に相当する部分は、鏡面反射の無い側の画像で修復する
　
　（３）また、本願の優先日前に公開された特開平８−１８６８０８号公報（平成８年７月１６日出願公開。以下、「引用例３」という。）には図面とともに以下の事項が記載されている。
　
　ｅ．「【０００５】第２の目的は、撮像対象に対して固定又は移動可能な照明具，撮像機を撮像対象の周囲に配置し、撮像対象に対する照明具撮像機の位置を変えて撮像を行い、得られた複数の画像データの対応する画素の輝度を比較し、その結果に基づいて対応する画素の輝度を定める合成処理を行うことで影領域，
反射領域のない画像データを得る
　
　ｆ．「【０００７】第２発明に係る画像処理方法は、撮像対象に照明具からの光を照射して撮像機で撮像し、影領域及び／又は反射領域が除去された画像のデータを得る画像処理方法において、撮像対象に向けて前記照明具を固定し、前記撮像対象に対する撮像機の位置を変えてこれを撮像し、
得られた複数の画像データに基づいて、各画像データの対応する画素夫々の輝度を比較し、低い方の輝度又は高い方の輝度又は予め定めた基準値に近い輝度を新たな画像における対応する画素の輝度とする合成処理を施す
　
　（４）また、本願の優先日前に公開された特開平５−２９２５０３号公報（平成５年１１月５日出願公開。以下、「引用例４」という。）には図面とともに以下の事項が記載されている。
　
　ｇ．「【００１２】この第１の実施例における本発明の画像処理装置は、以上の如き構成からなり、以下この第１の実施例の画像処理装置による本発明の画像処理方法の一具体例について説明する。まず、
処理対象１を所定の位置（２台のビデオカメラ３及び４の焦点に合う位置）に位置させ、光源２を発光させて処理対象１を照明する。
【００１３】さらに、 位置補正部８では、位置データ判断部７よりの、各画像データの相対位置データにより処理対象１を切り出して画像合成部９に送出する。すなわち、位置補正部８では、前記位置データ判断部７からの演算結果により２個の画像データ中の処理対象１の相対位置のずれを補正する。そして、
画像合成部９では、位置補正部８よりの２個の処理対象１のデータを加算し合成する
【００１４】このように、本発明は、２台のビデオカメラ３、４による撮像角度の異なる２個の処理対象１の画像データにより、
外来光の表面反射光の影響を緩和することができる。従って、画像合成部９の出力は、表面反射光の影響が少ないデータである
【００１５】なお、上述の実施例においては、ビデオカメラ３及び４を２台設置した例について説明したが、同一処理対象１において撮像角度が異なれば３台以上でも良い。また、撮像角度が異なる処理対象１の画像データが多ければ、その分表面反射光の影響が小さくなる。」
　
　（５）また、本願の優先日前に公開された特開２００２−２６００１７号公報（平成１４年９月１３日出願公開。以下、「引用例５」という。）には図面とともに以下の事項が記載されている。。
　
　ｈ．「【０００９】本発明に係る装置によると、
互いに異なる位置に配置された複数のカメラを有する撮影装置
複数の組の２次元画像を取得する撮影制御部と、複数の組の２次元画像から正反射部分のない１組の２次元画像を生成する
【００１０】好ましくは、
前記２次元画像の正反射部分を検出する検出部を有し、前記２次元画像補正部は、前記複数の組の２次元画像のうちの１組の２次元画像を基準２次元画像とし、前記基準２次元画像において前記検出部により検出された正反射部分を他の組の２次元画像により置き換える
　
４．対比
　本願発明と引用発明とを対比する。
　（１）引用発明の「スクリーン１３０」は、本願発明の「ディスプレイ層」に相当する。
　（２）引用発明の「イルミネータ１２５」は、固定されていることは明らかであり、本願発明の「所定の位置に位置決めされている
照明装置
　（３）引用発明の「カメラ１１５」は、本願発明の「第１のカメラ」に相当し、また、引用発明の「コンピュータ１１０」は、カメラ１１５のイメージを入力として受取り、ビデオイメージを出力することから、カメラによってキャプチャされた画像を処理する画像処理装置である点で、本願発明の「画像マージ機構」と共通している。
　（４）引用発明の「インタラクティブ・ビデオ・システム」は、スクリーン１３０の前の空間のどの部分が人（または動く物体）で占められているか、及びスクリーン１３０のどの部分が背景であるかを識別し、そして、カメラ１１５のイメージを入力として受取り、ビデオイメージをプロジェクタ１２０へ出力することから、本願発明の「対話型ディスプレイ」に相当する。
　
　したがって、本願発明と引用発明は、以下の点で一致ないし相違する。
　
＜一致点＞
　「１つまたは複数のディスプレイ層と、
　所定の位置に位置決めされている照明装置と、前記１つまたは複数のディスプレイ層の照明された表面を見るように位置決めされた第１のカメラと、
　を備えた対話型ディスプレイと一緒に使用するための画像処理装置。」
　
＜相違点＞
　第１のカメラが、本願発明では、「照明装置が点灯しているときに、第１のカメラによってキャプチャされた画像の所定の鏡面反射領域において鏡面反射が発生する第１の位置で、前記１つまたは複数のディスプレイ層の照明された表面を見るように位置決めされ」ており、さらに、本願発明では、第１のカメラの他に、「第２のカメラ」を備え、「照明装置が前記所定の位置から点灯されているときに、前記第２のカメラが、前記第１のカメラの前記鏡面反射領域の少なくとも一部分を、前記鏡面反射がキャプチャされずに、見て、かつ、キャプチャすることができる第２の位置で、前記１つまたは複数のディスプレイ層の照明された表面を見るように位置決めされ」ており、そして、「前記第１のカメラでキャプチャされた前記鏡面反射のレベルと比較して、鏡面反射が少なくとも低減されるように、前記第１および第２のカメラからの画像を重ね合わせる行為を実行するように構成されている、画像マージ機構」を備え、鏡面反射が少なくとも低減されるようしているのに対し、引用発明では、鏡面反射を低減するための構成として、「近赤外線反射防止膜が、スクリーン１３０の底部および／または上部に設けられ、また、イルミネータ１２５をスクリーン１３０に対して斜角に配設して、鏡面反射が起きることを防ぐ」ようにしている点。
　
５．検討・判断
　相違点につき検討と判断をする。
＜相違点について＞
　対象物を撮影し、画像信号を得る場合に、鏡面反射を低減した画像を得るために、鏡面反射位置が各々異なる画像を得て、その複数の画像を合成することは、周知の技術（上記引用例２〜５の記載を参照。）であり、さらに、鏡面反射の位置が異なる画像を得るために、照明装置に対して、角度が異なるカメラを用いて撮影すること（引用例３，４）、鏡面反射を低減するために複数の画像を合成処理する方法として、鏡面反射画像部分を鏡面反射がない画像部分と重ね合わせて、画像を処理すること（引用例２，３，５）も周知の技術である。
　してみると、引用発明において、撮影された画像の鏡面反射を低減する手段として、引用発明の構成に替えて当該周知の技術を採用し、相違点に係る構成とすることは当業者が容易になし得ることである。
　
　また、本願発明の構成により奏する作用効果は、引用発明及び周知技術による構成によって奏する作用効果からみて格別のものであるともいえない。
　
６．むすび
　以上のとおり、本願発明は、上記引用発明及び周知技術に基づいて、当業者が容易に発明をすることができた発明であるから、特許法第２９条第２項の規定により特許を受けることができない。
　
　よって、結論のとおり審決する。